(57)【特許請求の範囲】
【請求項１】
ユーザ機器（ＵＥ）による無線通信のための方法であって、
前記ＵＥとの協調マルチポイント（ＣｏＭＰ）動作に含まれる複数の異なる送信ポイントから送信された別個の発見基準信号（ＲＳ）を受信することと、
前記別個の発見ＲＳに基づいて、前記送信ポイントのおのおのの基準信号受信電力（ＲＳＲＰ）推定値または経路喪失推定値のうちの少なくとも１つを計算することと、
これら推定値に基づいて少なくとも１つのサービス提供セルを識別することと、を備え、
発見ＲＳのために使用されるリソースは、チャネル状態情報基準信号（ＣＳＩ−ＲＳ）のために使用されるリソースよりも密な周波数トーン割当または密な時間割当のうちの少なくとも１つを有する方法。
【請求項２】
これら推定値に基づいて設定された送信電力レベルで、前記識別されたサービス提供セルにおいてランダム・アクセス・チャネル（ＲＡＣＨ）手順を実行すること、をさらに備える請求項１に記載の方法。
【請求項３】
発見ＲＳを送信するために各送信ポイントによって使用される別個のリソースを示すコンフィギュレーションを受信すること、をさらに備える請求項２に記載の方法。
【請求項４】
前記コンフィギュレーションは、ブロードキャスト・メッセージによって受信される、請求項３に記載の方法。
【請求項５】
前記ＲＡＣＨ手順は、前記ブロードキャスト・メッセージによって受信されたコンフィギュレーションにリンクされたＲＡＣＨコンフィギュレーションで実行される、請求項４に記載の方法。
【請求項６】
各発見ＲＳに対応する送信電力を示すインジケーションを受信すること、をさらに備える請求項１に記載の方法。
【請求項７】
前記計算することは、前記対応する送信電力と各発見ＲＳの受信電力とに基づいて、経路喪失推定値を計算することを備える、請求項６に記載の方法。
【請求項８】
推定された最小の経路喪失を持つ発見ＲＳを判定することと、
前記推定された最小の経路喪失に基づいて、前記識別されたサービス提供セルにおける送信のための送信電力レベルを設定することと、をさらに備える請求項７に記載の方法。
【請求項９】
前記別個の発見ＲＳに基づいて、１または複数の送信ポイントを識別すること、をさらに備える請求項１に記載の方法。
【請求項１０】
前記複数の送信ポイントは、異なる電力クラスの送信ポイントを備える、請求項１に記載の方法。
【請求項１１】
同じ電力クラスの送信ポイントのアンテナ・ポートが、共通のリソースにマップされる、請求項１０に記載の方法。
【請求項１２】
前記各送信ポイントの別個の発見ＲＳは、ＣＳＩ−ＲＳのためにも使用されるリソースで送信される、請求項１０に記載の方法。
【請求項１３】
異なる電力クラスの送信ポイントから、別個の発見ＲＳを送信するために使用されるＣＳＩ−ＲＳリソースが、周波数位置および時間位置にマップされる、請求項１２に記載の方法。
【請求項１４】
各送信ポイントのＲＡＣＨコンフィギュレーションを受信することと、
前記ＲＡＣＨ手順が実行される送信ポイントに対応するＲＡＣＨコンフィギュレーションを用いることと、をさらに備える請求項１に記載の方法。
【請求項１５】
送信ポイントによる無線通信のための方法であって、
ユーザ機器（ＵＥ）による発見のために、発見基準信号（ＲＳ）を送信するためのリソースを決定することと、ここで、前記決定されたリソースは、前記ＵＥとの協調マルチポイント（ＣｏＭＰ）動作に含まれる１または複数のその他の送信ポイントによって発見ＲＳを送信するために使用されるリソースとは異なる、
各送信ポイントによって使用される別個のリソースを示すコンフィギュレーションを送信することと、
前記決定されたリソースを用いて、前記発見ＲＳを送信することと、を備え、
発見ＲＳのために使用されるリソースは、チャネル状態情報基準信号（ＣＳＩ−ＲＳ）のために使用されるリソースよりも密な周波数トーン割当または密な時間割当のうちの少なくとも１つを有する方法。
【請求項１６】
前記コンフィギュレーションは、ブロードキャスト・メッセージで送信される、請求項１５に記載の方法。
【請求項１７】
前記送信された発見ＲＳに対応する送信電力を示すインジケーションを送信し、前記ＵＥが、前記発見ＲＳに基づいて、経路喪失を推定できるようにすること、をさらに備える請求項１５に記載の方法。
【請求項１８】
前記ＣｏＭＰ動作に含まれる送信ポイントは、異なる電力クラスの送信ポイントを備える、請求項１５に記載の方法。
【請求項１９】
同じ電力クラスの送信ポイントのアンテナ・ポートが、共通のリソースにマップされる、請求項１８に記載の方法。
【請求項２０】
前記各送信ポイントの別個の発見ＲＳは、ＣＳＩ−ＲＳのためにも使用されるリソースで送信される、請求項１８に記載の方法。
【請求項２１】
異なる電力クラスの送信ポイントから、別個の発見ＲＳを送信するために使用されるＣＳＩ−ＲＳリソースが、周波数位置および時間位置にマップされる、請求項２０に記載の方法。
【請求項２２】
前記送信された発見ＲＳに基づいて決定された送信電力レベルで、前記ＵＥから送信されたＲＡＣＨメッセージを受信すること、をさらに備える請求項１５に記載の方法。
【請求項２３】
ユーザ機器（ＵＥ）による無線通信のための装置であって、
前記ＵＥとの協調マルチポイント（ＣｏＭＰ）動作に含まれる複数の異なる送信ポイントから送信された別個の発見基準信号（ＲＳ）を受信する手段と、
前記別個の発見ＲＳに基づいて、前記送信ポイントのおのおのの基準信号受信電力（ＲＳＲＰ）推定値または経路喪失推定値のうちの少なくとも１つを計算する手段と、
これら推定値に基づいて少なくとも１つのサービス提供セルを識別する手段と、を備え、
発見ＲＳのために使用されるリソースは、チャネル状態情報基準信号（ＣＳＩ−ＲＳ）のために使用されるリソースよりも密な周波数トーン割当または密な時間割当のうちの少なくとも１つを有する装置。
【請求項２４】
これら推定値に基づいて設定された送信電力レベルで、前記識別されたサービス提供セルにおいてランダム・アクセス・チャネル（ＲＡＣＨ）手順を実行する手段、をさらに備える請求項２３に記載の装置。
【請求項２５】
発見ＲＳを送信するために各送信ポイントによって使用される別個のリソースを示すコンフィギュレーションを受信する手段、をさらに備える請求項２４に記載の装置。
【請求項２６】
前記コンフィギュレーションは、ブロードキャスト・メッセージによって受信される、請求項２５に記載の装置。
【請求項２７】
前記ＲＡＣＨ手順は、前記ブロードキャスト・メッセージによって受信されたコンフィギュレーションにリンクされたＲＡＣＨコンフィギュレーションで実行される、請求項２６に記載の装置。
【請求項２８】
各発見ＲＳに対応する送信電力を示すインジケーションを受信する手段、をさらに備える請求項２３に記載の装置。
【請求項２９】
前記計算する手段は、前記対応する送信電力と各発見ＲＳの受信電力とに基づいて、経路喪失推定値を計算する手段を備える、請求項２８に記載の装置。
【請求項３０】
推定された最小の経路喪失を持つ発見ＲＳを判定する手段と、
前記推定された最小の経路喪失に基づいて、前記識別されたサービス提供セルにおける送信のための送信電力レベルを設定する手段と、をさらに備える請求項２９に記載の装置。
【請求項３１】
前記別個の発見ＲＳに基づいて、１または複数の送信ポイントを識別する手段、をさらに備える請求項２３に記載の装置。
【請求項３２】
前記複数の送信ポイントは、異なる電力クラスの送信ポイントを備える、請求項２３に記載の装置。
【請求項３３】
同じ電力クラスの送信ポイントのアンテナ・ポートが、共通のリソースにマップされる、請求項３２に記載の装置。
【請求項３４】
前記各送信ポイントの別個の発見ＲＳは、ＣＳＩ−ＲＳのためにも使用されるリソースで送信される、請求項３２に記載の装置。
【請求項３５】
異なる電力クラスの送信ポイントから、別個の発見ＲＳを送信するために使用されるＣＳＩ−ＲＳリソースが、周波数位置および時間位置にマップされる、請求項３４に記載の装置。
【請求項３６】
各送信ポイントのＲＡＣＨコンフィギュレーションを受信する手段と、
前記ＲＡＣＨ手順が実行される送信ポイントに対応するＲＡＣＨコンフィギュレーションを用いる手段と、をさらに備える請求項２３に記載の装置。
【請求項３７】
送信ポイントによる無線通信のための装置であって、
ユーザ機器（ＵＥ）による発見のための発見基準信号（ＲＳ）を送信するためのリソースを決定する手段と、ここで、前記決定されたリソースは、前記ＵＥとの協調マルチポイント（ＣｏＭＰ）動作に含まれる１または複数のその他の送信ポイントによって発見ＲＳを送信するために使用されるリソースとは異なる、
各送信ポイントによって使用される別個のリソースを示すコンフィギュレーションを送信する手段と、
前記決定されたリソースを用いて、前記発見ＲＳを送信する手段と、を備え、
発見ＲＳのために使用されるリソースは、チャネル状態情報基準信号（ＣＳＩ−ＲＳ）のために使用されるリソースよりも密な周波数トーン割当または密な時間割当のうちの少なくとも１つを有する装置。
【請求項３８】
前記コンフィギュレーションは、ブロードキャスト・メッセージで送信される、請求項３７に記載の装置。
【請求項３９】
前記送信された発見ＲＳに対応する送信電力を示すインジケーションを送信し、前記ＵＥが、前記発見ＲＳに基づいて、経路喪失を推定できるようにする手段、をさらに備える請求項３７に記載の装置。
【請求項４０】
前記ＣｏＭＰ動作に含まれる送信ポイントは、異なる電力クラスの送信ポイントを備える、請求項３７に記載の装置。
【請求項４１】
同じ電力クラスの送信ポイントのアンテナ・ポートが、共通のリソースにマップされる、請求項４０に記載の装置。
【請求項４２】
前記各送信ポイントの別個の発見ＲＳは、ＣＳＩ−ＲＳのためにも使用されるリソースで送信される、請求項４０に記載の装置。
【請求項４３】
異なる電力クラスの送信ポイントから、別個の発見ＲＳを送信するために使用されるＣＳＩ−ＲＳリソースが、周波数位置および時間位置にマップされる、請求項４２に記載の装置。
【請求項４４】
前記送信された発見ＲＳに基づいて決定された送信電力レベルで、前記ＵＥから送信されたＲＡＣＨメッセージを受信する手段、をさらに備える請求項３７に記載の装置。
【請求項４５】
ユーザ機器（ＵＥ）による無線通信のための装置であって、
前記ＵＥとの協調マルチポイント（ＣｏＭＰ）動作に含まれる複数の異なる送信ポイントから送信された別個の発見基準信号（ＲＳ）を受信し、
前記別個の発見ＲＳに基づいて、前記送信ポイントのおのおのの基準信号受信電力（ＲＳＲＰ）推定値または経路喪失推定値のうちの少なくとも１つを計算し、
これら推定値に基づいて、少なくとも１つのサービス提供セルを識別するように構成された少なくとも１つのプロセッサと、
前記少なくとも１つのプロセッサに接続されたメモリと、を備え、
発見ＲＳのために使用されるリソースは、チャネル状態情報基準信号（ＣＳＩ−ＲＳ）のために使用されるリソースよりも密な周波数トーン割当または密な時間割当のうちの少なくとも１つを有する装置。
【請求項４６】
送信ポイントによる無線通信のための装置であって、
ユーザ機器（ＵＥ）による発見のために発見基準信号（ＲＳ）を送信するためのリソースを決定し、ここで、前記決定されたリソースは、前記ＵＥとの協調マルチポイント（ＣｏＭＰ）動作に含まれる１または複数のその他の送信ポイントによって発見ＲＳを送信するために使用されるリソースとは異なる、
各送信ポイントによって使用される別個のリソースを示すコンフィギュレーションを送信する、
前記決定されたリソースを用いて、前記発見ＲＳを送信するように構成された少なくとも１つのプロセッサと、
前記少なくとも１つのプロセッサに接続されたメモリと、を備え、
発見ＲＳのために使用されるリソースは、チャネル状態情報基準信号（ＣＳＩ−ＲＳ）のために使用されるリソースよりも密な周波数トーン割当または密な時間割当のうちの少なくとも１つを有する装置。
【請求項４７】
コンピュータ実行可能命令を有するコンピュータ読取可能な記憶媒体において、
前記コンピュータ実行可能命令は、コンピュータによって実行される場合、
前記コンピュータに、ユーザ機器（ＵＥ）との協調マルチポイント（ＣｏＭＰ）動作に含まれる複数の異なる送信ポイントから送信された別個の発見基準信号（ＲＳ）を、前記ＵＥによって受信させ、
前記コンピュータに、前記別個の発見ＲＳに基づいて、前記送信ポイントのおのおのの基準信号受信電力（ＲＳＲＰ）推定値または経路喪失推定値のうちの少なくとも１つを計算させ、
前記コンピュータに、これら推定値に基づいて少なくとも１つのサービス提供セルを識別させるためのコードを備え、
発見ＲＳのために使用されるリソースは、チャネル状態情報基準信号（ＣＳＩ−ＲＳ）のために使用されるリソースよりも密な周波数トーン割当または密な時間割当のうちの少なくとも１つを有するコンピュータ読取可能な記憶媒体。
【請求項４８】
コンピュータ実行可能命令を有するコンピュータ読取可能な記憶媒体において、
前記コンピュータ実行可能命令は、コンピュータによって実行される場合、
前記コンピュータに、ユーザ機器（ＵＥ）による発見のために発見基準信号（ＲＳ）を送信するためのリソースを、送信ポイントにおいて決定させ、ここで、前記決定されたリソースは、前記ＵＥとの協調マルチポイント（ＣｏＭＰ）動作に含まれる１または複数のその他の送信ポイントによって発見ＲＳを送信するために使用されるリソースとは異なる、
前記コンピュータに、各送信ポイントによって使用される別個のリソースを示すコンフィギュレーションを送信させ、
前記コンピュータに、前記決定されたリソースを用いて、前記発見ＲＳを送信させるためのコードを備え、
発見ＲＳのために使用されるリソースは、チャネル状態情報基準信号（ＣＳＩ−ＲＳ）のために使用されるリソースよりも密な周波数トーン割当または密な時間割当のうちの少なくとも１つを有するコンピュータ読取可能な記憶媒体。
【発明の詳細な説明】
【優先権主張】
【０００１】
本願は、本明細書において参照によって明確に組み込まれ、本願の譲受人に譲渡された、２０１１年２月２２日出願の「ＨＥＴＮＥＴ  ＣＯＭＰのためのＲＲＨ発見パイロット設計」（RRH DISCOVERY PILOT DESIGN FOR HETNET COMP）と題された米国仮出願６１／４４５，４２０号への優先権を主張する。
【技術分野】
【０００２】
本開示のある態様は、一般に、無線通信に関し、さらに詳しくは、協調マルチポイント（ＣｏＭＰ）送信および受信を用いた、ヘテロジニアスなネットワーク（ＨｅｔＮｅｔ）におけるアクセス手順のための技術に関する。
【背景技術】
【０００３】
無線通信ネットワークは、例えば音声、ビデオ、パケット・データ、メッセージング、ブロードキャスト等のようなさまざまな通信サービスを提供するために広く開発された。これら無線ネットワークは、利用可能なネットワーク・リソースを共有することにより、複数のユーザをサポートすることができる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングル・キャリアＦＤＭＡ（ＳＣ−ＦＤＭＡ）ネットワークを含む。
【０００４】
無線通信ネットワークは、多くのユーザ機器（ＵＥ）のための通信をサポートしうる多くの基地局（ＢＳ）を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【０００５】
基地局は、ダウンリンクでＵＥへデータおよび制御情報を送信し、および／または、アップリンクでＵＥからデータおよび制御情報を受信しうる。ダウンリンクにおいては、基地局からの送信が、近隣の基地局からの送信による干渉を観察しうる。アップリンクにおいては、ＵＥからの送信が、近隣の基地局と通信する他のＵＥからの送信への干渉をもたらしうる。この干渉は、ダウンリンクとアップリンクとの両方のパフォーマンスを低下させうる。
【発明の概要】
【０００６】
本開示の態様では、無線通信のための方法が提供される。
【０００７】
本開示のある態様は、ユーザ機器（ＵＥ）による無線通信のための技術を提供する。これら技術は一般に、ＵＥとの協調マルチポイント（ＣｏＭＰ）動作に含まれる複数の異なる送信ポイントから送信された別個の発見基準信号（ＲＳ）を受信することと、別個の発見ＲＳに基づいて、送信ポイントのおのおののための経路喪失推定値を計算することと、経路喪失推定値に基づいて設定された送信電力レベルで、ランダム・アクセス・チャネル（ＲＡＣＨ）手順を実行することと、を含む。
【０００８】
本開示のある態様は、送信ポイントによる無線通信のための技術を提供する。これら技術は一般に、ユーザ機器（ＵＥ）による発見のために、発見基準信号（ＲＳ）を送信するためのリソースを決定することと、ここで、決定されたリソースは、ＵＥとの協調マルチポイント（ＣｏＭＰ）動作に含まれる１または複数のその他の送信ポイントによって発見ＲＳを送信するために使用されるリソースとは異なる；決定されたリソースを用いて、発見ＲＳを送信することと；を含む。
【０００９】
本開示のある態様は、ユーザ機器（ＵＥ）による無線通信のための装置を提供する。この装置は一般に、ＵＥとの協調マルチポイント（ＣｏＭＰ）動作に含まれる複数の異なる送信ポイントから送信された別個の発見基準信号（ＲＳ）を受信する手段と、別個の発見ＲＳに基づいて、送信ポイントのおのおののための経路喪失推定値を計算する手段と、経路喪失推定値に基づいて設定された送信電力レベルで、ランダム・アクセス・チャネル（ＲＡＣＨ）手順を実行する手段と、を含む。
【００１０】
本開示のある態様は、送信ポイントによる無線通信のための装置を提供する。この装置は一般に、ユーザ機器（ＵＥ）による発見のために、発見基準信号（ＲＳ）を送信するためのリソースを決定する手段と、ここで、決定されたリソースは、ＵＥとの協調マルチポイント（ＣｏＭＰ）動作に含まれる１または複数のその他の送信ポイントによって発見ＲＳを送信するために使用されるリソースとは異なる；決定されたリソースを用いて、発見ＲＳを送信する手段と；を含む。
【００１１】
本開示のある態様は、ユーザ機器（ＵＥ）による無線通信のための装置を提供する。この装置は一般に、ＵＥとの協調マルチポイント（ＣｏＭＰ）動作に含まれる複数の異なる送信ポイントから送信された別個の発見基準信号（ＲＳ）を受信し、別個の発見ＲＳに基づいて、送信ポイントのおのおのの基準信号受信電力（ＲＳＲＰ）推定値または経路喪失推定値のうちの少なくとも１つを計算し、これら推定値に基づいて、少なくとも１つのサービス提供セルを識別するように構成された少なくとも１つのプロセッサと、少なくとも１つのプロセッサに接続されたメモリと、を含む。
【００１２】
本開示のある態様は、送信ポイントによる無線通信のための装置を提供する。この装置は一般に、ユーザ機器（ＵＥ）による発見のために、発見基準信号（ＲＳ）を送信するためのリソースを決定し、ここで、決定されたリソースは、ＵＥとの協調マルチポイント（ＣｏＭＰ）動作に含まれる１または複数のその他の送信ポイントによって発見ＲＳを送信するために使用されるリソースとは異なる；決定されたリソースを用いて、発見ＲＳを送信する；ように構成された少なくとも１つのプロセッサと、少なくとも１つのプロセッサに接続されたメモリと、を含む。
【００１３】
本開示のある態様は、格納された命令群を有するコンピュータ読取可能な媒体を備えるプログラム製品を提供する。これら命令群は、ＵＥとの協調マルチポイント（ＣｏＭＰ）動作に含まれる複数の異なる送信ポイントから送信された別個の発見基準信号（ＲＳ）を、ユーザ機器（ＵＥ）によって受信し、別個の発見ＲＳに基づいて、送信ポイントのおのおのの基準信号受信電力（ＲＳＲＰ）推定値または経路喪失推定値のうちの少なくとも１つを計算し、これら推定値に基づいて少なくとも１つのサービス提供セルを識別する、ため１または複数のプロセッサによって実行可能である。
【００１４】
本開示のある態様は、格納された命令群を有するコンピュータ読取可能な媒体を備えるプログラム製品を提供する。これら命令群は、ユーザ機器（ＵＥ）による発見のために、発見基準信号（ＲＳ）を送信するためのリソースを、送信ポイントにおいて決定し、ここで、決定されたリソースは、ＵＥとの協調マルチポイント（ＣｏＭＰ）動作に含まれる１または複数のその他の送信ポイントによって発見ＲＳを送信するために使用されるリソースとは異なる；決定されたリソースを用いて、発見ＲＳを送信する；ため１または複数のプロセッサによって実行可能である。
【００１５】
本開示のさまざまな態様および特徴が、以下にさらに詳細に記載される。
【図面の簡単な説明】
【００１６】
【図１】図１は、本開示のある態様にしたがう無線通信ネットワークの例を概念的に例示するブロック図である。
【図２】図２は、本開示のある態様にしたがう無線通信ネットワークにおけるフレーム構造の例を概念的に例示するブロック図である。
【図２Ａ】図２Ａは、本開示のある態様にしたがうロング・ターム・イボリューション（ＬＴＥ）におけるアップリンクのためのフォーマットの例を示す。
【図３】図３は、本開示のある態様にしたがう無線通信ネットワークにおいて、ユーザ機器デバイス（ＵＥ）と通信しているノードＢの例を概念的に例示するブロック図を示す。
【図４】図４は、本開示のある態様にしたがうヘテロジニアスなネットワーク（ＨｅｔＮｅｔ）の例を例示する。
【図５】図５は、本開示のある態様にしたがうヘテロジニアスなネットワークにおけるリソース分割の例を例示する。
【図６】図６は、本開示のある態様にしたがうヘテロジニアスなネットワークにおけるサブフレームの協調的な分割の例を例示する。
【図７】図７は、ヘテロジニアスなネットワークにおける範囲拡張セルラ領域を例示する図解である。
【図８】図８は、本開示のある態様にしたがう遠隔ラジオ・ヘッド（ＲＲＨ）とマクロｅＮＢとを備えたネットワークを例示する図解である。
【図９】図９は、本開示のある態様にしたがうＨｅｔＮｅｔ  ＣｏＭＰのためのシナリオの例を例示する。
【図１０】図１０は、本開示のある態様にしたがう発見基準信号（ＲＳ）の構成の例を例示する。
【図１１】図１１は、本開示のある態様にしたがう経路喪失推定の例を例示する。
【図１２】図１２は、本開示のある態様にしたがって、ユーザ機器（ＵＥ）において実行される動作１２００の例を例示する。
【図１２Ａ】図１２Ａは、本開示のある態様にしたがって図１２に例示された動作を実行することが可能な構成要素の例を例示する。
【図１３】図１３は、本開示のある態様にしたがって、送信ポイントにおいて実行される動作１３００の例を例示する。
【図１３Ａ】図１３Ａは、本開示のある態様にしたがって図１３に例示された動作を実行することが可能な構成要素の例を例示する。
【発明を実施するための形態】
【００１７】
本開示の態様は、協調マルチポイント（ＣｏＭＰ）動作が利用されるヘテロジニアスなネットワーク（ＨｅｔＮｅｔ）におけるランダム・アクセス手順において利用されうる技術を提供する。異なる送信ポイントに、基準信号（ＲＳ）を送信するための個別のリソースを提供することによって、ユーザ機器（ＵＥ）は、各送信ポイントへの経路喪失を推定し、推定された経路喪失に基づいて（例えば、最も近い送信ポイントを示しうる、最低の経路喪失に基づいて）、ランダム・アクセス・チャネル（ＲＡＣＨ）の送信電力を調節しうる。
【００１８】
本明細書に記載された技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（ＷＣＤＭＡ（登録商標））、およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現する。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）およびＬＴＥ−アドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートナシップ計画」（３ＧＰＰ）と命名された団体からの文書に記載されている。ＣＤＭＡ２０００およびＵＭＢは、「第３世代パートナシップ計画２」（３ＧＰＰ２）と命名された組織からの文書に記載されている。本明細書において記載された技術は、他の無線ネットワークおよびラジオ技術と同様に、前述された無線ネットワークおよびラジオ技術のために使用されうる。明確化のために、これら技術のある態様は、以下において、ＬＴＥに関して記載されており、ＬＴＥ用語が以下の説明の多くで使用される。
【００１９】
（無線ネットワークの例）  
図１は、ＬＴＥネットワークでありうる無線通信ネットワーク１００を示す。無線ネットワーク１００は、多くのイボルブド・ノードＢ（ｅＮＢ）１１０およびその他のネットワーク・エンティティを含みうる。ｅＮＢは、ユーザ機器デバイス（ＵＥ）と通信する局であり、基地局、ノードＢ、アクセス・ポイント等とも称されうる。おのおののｅＮＢ１１０は、特定の地理的エリアのために通信有効通信範囲エリアを提供しうる。３ＧＰＰでは、用語「セル」は、この用語が使用されるコンテキストに依存して、この有効通信範囲エリアにサービス提供しているｅＮＢおよび／またはｅＮＢサブシステムからなる有効通信範囲エリアを称しうる。
【００２０】
ｅＮＢは、マクロ・セル、ピコ・セル、フェムト・セル、および／または、その他のタイプのセルのために、通信有効通信範囲を提供しうる。マクロ・セルは、比較的大きな地理的エリア（例えば、半径数キロメータ）をカバーし、サービス加入を持つＵＥによる無制限のアクセスを許可しうる。ピコ・セルは、比較的小さな地理的エリアをカバーし、サービス加入を持つＵＥによる無制限のアクセスを許可しうる。フェムト・セルは、比較的小さな地理的エリア（例えば、住宅）をカバーし、フェムト・セルとの関連を持つＵＥ（例えば、クローズド加入者グループ（ＣＳＧ）におけるＵＥ、住宅内のユーザのためのＵＥ等）によって制限されたアクセスを許可しうる。マクロ・セルのためのｅＮＢは、マクロｅＮＢ（すなわち、マクロ基地局）と称されうる。ピコ・セルのためのｅＮＢは、ピコｅＮＢ（すなわち、ピコ基地局）と称されうる。フェムト・セルのためのｅＮＢは、フェムトｅＮＢ（すなわち、フェムト基地局）またはホームｅＮＢと称されうる。図１に示す例では、ｅＮＢ１１０ａ，１１０ｂ，１１０ｃはそれぞれ、マクロ・セル１０２ａ，１０２ｂ，１０２ｃのためのマクロｅＮＢでありうる。ｅＮＢ１１０ｘは、ピコ・セル１０２ｘのためのピコｅＮＢでありうる。ｅＮＢ１１０ｙ，１１０ｚはそれぞれ、フェムト・セル１０２ｙ，１０２ｚのためのフェムトｅＮＢでありうる。ｅＮＢは、１または複数（例えば３つ）のセルをサポートしうる。
【００２１】
無線ネットワーク１００はさらに、中継局をも含みうる。中継局は、データおよび／またはその他の情報の送信を上流局（例えば、ｅＮＢまたはＵＥ）から受信し、データおよび／またはその他の情報の送信を下流局（例えば、ＵＥまたはｅＮＢ）へ送信する局である。中継局はまた、他のＵＥのための送信を中継するＵＥでもありうる。図１において図示される例において、中継局１１０ｒは、ｅＮＢ１１０ａとＵＥ１２０ｒとの間の通信を容易にするために、ｅＮＢ１１０ａおよびＵＥ１２０ｒと通信しうる。中継局はまた、リレーｅＮＢ、リレー等とも称されうる。
【００２２】
無線ネットワーク１００はまた、例えば、マクロｅＮＢ、ピコｅＮＢ、フェムトｅＮＢ、リレー等のような異なるタイプのｅＮＢを含むヘテロジニアスなネットワーク（ＨｅｔＮｅｔ）でもありうる。これら異なるタイプのｅＮＢは、異なる送信電力レベル、異なる有効通信範囲エリア、および、無線ネットワーク１００内の干渉に対する異なるインパクトを有しうる。例えば、マクロｅＮＢは、高い送信電力レベル（例えば、２０ワット）を有する一方、ピコｅＮＢ、フェムトｅＮＢ、およびリレーは、低い送信電力レベル（例えば、１ワット）を有しうる。
【００２３】
無線ネットワーク１００は、同期動作または非同期動作をサポートしうる。同期動作の場合、ｅＮＢは、同じようなフレーム・タイミングを有し、異なるｅＮＢからの送信は、時間的にほぼ同期しうる。非同期動作の場合、ｅＮＢは、異なるフレーム・タイミングを有し、異なるｅＮＢからの送信は、時間的に同期しない場合がある。ここに記載された技術は、同期動作および非同期動作の両方のために使用されうる。
【００２４】
ネットワーク・コントローラ１３０は、ｅＮＢのセットに接続しており、これらｅＮＢのための調整および制御を提供しうる。ネットワーク・コントローラ１３０は、バックホールを介してｅＮＢ１１０と通信しうる。ｅＮＢ１１０はまた、例えば、ダイレクトに、または、無線または有線のバックホールを介して非ダイレクトに、互いに通信しうる。
【００２５】
無線ネットワーク１００の全体にわたって、多くのＵＥ１２０が分布しうる。そして、おのおののＵＥは、固定式または移動式でありうる。ＵＥは、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、タブレット等でありうる。ＵＥは、マクロｅＮＢ、ピコｅＮＢ、フェムトｅＮＢ、リレー等と通信することができうる。図１では、両矢印を持つ実線が、ＵＥと、ダウンリンクおよび／またはアップリンクでＵＥにサービス提供するように指定されたｅＮＢであるサービス提供ｅＮＢとの間の所望の送信を示す。両矢印を持つ破線は、ＵＥとｅＮＢとの間の干渉送信を示す。ある態様の場合、ＵＥは、ＬＴＥリリース１０  ＵＥを備えうる。
【００２６】
ＬＴＥは、ダウンリンクで直交周波数分割多重（ＯＦＤＭ）を、アップリンクでシングル・キャリア周波数分割多重（ＳＣ−ＦＤＭ）を利用する。ＯＦＤＭおよびＳＣ−ＦＤＭは、システム帯域幅を、一般にトーン、ビン等とも称される複数（Ｋ個）の直交サブキャリアに分割する。おのおののサブキャリアは、データとともに変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（Ｋ個）は、システム帯域幅に依存しうる。例えば、Ｋは、１．２５，２．５，５，１０，２０メガヘルツ（ＭＨｚ）のシステム帯域幅についてそれぞれ１２８，２５６，５１２，１０２４，２０４８にそれぞれ等しい。システム帯域幅はまた、サブ帯域へ分割されうる。例えば、サブ帯域は、１．０８ＭＨｚをカバーし、１．２５，２．５，５，１０，２０ＭＨｚのシステム帯域幅についてそれぞれ１，２，４，８，１６のサブ帯域が存在しうる。
【００２７】
図２は、ＬＴＥにおいて使用されるダウンリンク・フレーム構造を示す。ダウンリンクの送信タイムラインは、ラジオ・フレームの単位に分割されうる。おのおののラジオ・フレームは、（例えば１０ミリ秒（ｍｓ）のような）予め定められた持続時間を有し、０乃至９のインデクスを付された１０個のサブフレームへ分割されうる。おのおののサブフレームは、２つのスロットを含みうる。したがって、おのおののラジオ・フレームは、０乃至１９のインデクスを付された２０のスロットを含みうる。おのおののスロットは、例えば、（図２に示すように）通常のサイクリック・プレフィクスの場合、Ｌ＝７のシンボル期間を、拡張されたサイクリック・プレフィクスの場合、Ｌ＝６のシンボル期間のように、Ｌ個のシンボル期間を含みうる。おのおののサブフレームでは、２Ｌ個のシンボル期間が、０乃至２Ｌ−１のインデクスを割り当てられうる。利用可能な時間周波数リソースが、リソース・ブロックへ分割されうる。おのおののリソース・ブロックは、１つのスロットにおいてＮ個のサブキャリア（例えば、１２のサブキャリア）をカバーしうる。
【００２８】
ＬＴＥでは、ｅＮＢは、ｅＮＢにおける各セルについて、一次同期信号（ＰＳＳ）と二次同期信号（ＳＳＳ）とを送信しうる。図２に示すように、一次同期信号および二次同期信号は、通常のサイクリック・プレフィクスを持つ各ラジオ・フレームのサブフレーム０，５のおのおのにおいて、シンボル期間６およびシンボル期間５でそれぞれ送信されうる。これら同期信号は、セル検出および獲得のためにＵＥによって使用されうる。ｅＮＢはまた、サブフレーム０のスロット１におけるシンボル期間０乃至３で、物理ブロードキャスト・チャネル（ＰＢＣＨ）を送信しうる。ＰＢＣＨは、あるシステム情報を伝送しうる。
【００２９】
図２に図示されるように、ｅＮＢは、各サブフレームの最初のシンボル期間で、物理制御フォーマット・インジケータ・チャネル（ＰＣＦＩＣＨ）を送信しうる。ＰＣＦＩＣＨは、制御チャネルのために使用されるシンボル期間の数（Ｍ）を伝えうる。ここで、Ｍは、１，２または３に等しく、サブフレーム毎に変化しうる。Ｍはまた、例えば、１０未満のリソース・ブロックのように、小さなシステム帯域幅に対して４に等しくなりうる。ｅＮＢは、（図２に示していないが）おのおののサブフレームの最初のＭ個のシンボル期間において、物理ＨＡＲＱインジケータ・チャネル（ＰＨＩＣＨ）および物理ダウンリンク制御チャネル（ＰＤＣＣＨ）を送信しうる。ＰＨＩＣＨは、ハイブリッド自動反復要求（ＨＡＲＱ）をサポートするための情報を伝送しうる。ＰＤＣＣＨは、ＵＥのためのリソース割当に関する情報と、ダウンリンク・チャネルのための制御情報とを伝送しうる。ｅＮＢはまた、おのおののサブフレームの残りのシンボル期間で、物理ダウンリンク共有チャネル（ＰＤＳＣＨ）を送信しうる。ＰＤＳＣＨは、ダウンリンクで、データ送信のためにスケジュールされたＵＥのためのデータを伝送しうる。ＬＴＥにおけるさまざまな信号およびチャネルは、公的に利用可能な「イボルブド・ユニバーサル地上ラジオ・アクセス（Ｅ−ＵＴＲＡ）；物理チャネルおよび変調」（Evolved Universal Terrestrial Radio Access (E-UTRA); Physical Channels and Modulation）と題された３ＧＰＰ  ＴＳ  ３６．２１１に記載されている。
【００３０】
ｅＮＢは、ｅＮＢによって使用されるシステム帯域幅の中央の１．０８ＭＨｚでＰＳＳ、ＳＳＳおよびＰＢＣＨを送信しうる。ｅＮＢは、これらのチャネルが送信される各シンボル期間におけるシステム帯域幅全体でＰＣＦＩＣＨおよびＰＨＩＣＨを送信しうる。ｅＮＢは、システム帯域幅のある部分において、ＵＥのグループにＰＤＣＣＨを送信しうる。ｅＮＢは、システム帯域幅の特定の部分で、特定のＵＥに、ＰＤＳＣＨを送信しうる。ｅＮＢは、すべてのＵＥへブロードキャスト方式でＰＳＳ、ＳＳＳ、ＰＢＣＨ、ＰＣＦＩＣＨ、およびＰＨＩＣＨを送信し、特定のＵＥへユニキャスト方式でＰＤＣＣＨを送信し、特定のＵＥへユニキャスト方式でＰＤＳＣＨを送信しうる。
【００３１】
各シンボル期間において、多くのリソース要素が利用可能でありうる。おのおののリソース要素は、１つのシンボル期間において１つのサブキャリアをカバーしうる。そして、実数値または複素数値である１つの変調シンボルを送信するために使用されうる。おのおののシンボル期間において、基準信号のために使用されないリソース要素は、リソース要素グループ（ＲＥＧ）へ構成されうる。おのおののＲＥＧは、１つのシンボル期間内に、４つのリソース要素を含みうる。ＰＣＦＩＣＨは、シンボル期間０内に４つのＲＥＧを占有しうる。これらは、周波数にわたってほぼ均等に配置されうる。ＰＨＩＣＨは、１または複数の設定可能なシンボル期間内に３つのＲＥＧを占有しうる。これらは、周波数にわたって分散されうる。例えば、ＰＨＩＣＨのための３つのＲＥＧはすべて、シンボル期間０に属しうる。あるいは、シンボル期間０，１，２に分散されうる。ＰＤＣＣＨは、最初のＭ個のシンボル期間内に、９，１８，３２，または６４のＲＥＧを占有しうる。これらは、利用可能なＲＥＧから選択されうる。複数のＲＥＧからなるある組み合わせのみが、ＰＤＣＣＨのために許容されうる。
【００３２】
ＵＥは、ＰＨＩＣＨとＰＣＦＩＣＨとのために使用された特定のＲＥＧを認識しうる。ＵＥは、ＰＤＣＣＨを求めて、ＲＥＧの異なる組み合わせを探索しうる。探索する組み合わせの数は、一般に、ＰＤＣＣＨのために許可された組み合わせの数よりも少ない。ｅＮＢは、ＵＥが探索する組み合わせのうちの何れかのＵＥにＰＤＣＣＨを送信しうる。
【００３３】
図２Ａは、ＬＴＥにおけるアップリンクのための典型的なフォーマット２００Ａを示す。アップリンクのために利用可能なリソース・ブロックは、データ・セクションおよび制御セクションに区分されうる。制御セクションは、システム帯域幅の２つの端部において形成され、設定可能なサイズを有しうる。制御セクションにおけるリソース・ブロックは、制御情報の送信のために、ＵＥへ割り当てられうる。データ・セクションは、制御セクションに含まれていないすべてのリソース・ブロックを含みうる。図２Ａにおける設計の結果、データ・セクションは、連続するサブキャリアを含むようになる。これによって、単一のＵＥに、データ・セクションにおいて連続するサブキャリアのすべてが割り当てられるようになる。
【００３４】
ＵＥは、ｅＮＢへ制御情報を送信するために、制御セクションにおいてリソース・ブロックを割り当てられうる。ＵＥはまた、ｅＮＢへデータを送信するために、データ・セクションにおいてリソース・ブロックを割り当てられうる。ＵＥは、制御セクションにおいて割り当てられたリソース・ブロックで、物理アップリンク制御チャネル（ＰＵＣＣＨ）２１０ａ，２１０ｂで制御情報を送信しうる。ＵＥは、データ・セクションにおいて割り当てられたリソース・ブロックで、物理アップリンク共有チャネル（ＰＵＳＣＨ）２２０ａ，２２０ｂで、データのみ、または、データと制御情報との両方を送信しうる。図２Ａに示すように、アップリンク送信は、サブフレームの両スロットにおよび、周波数にわたってホップしうる。
【００３５】
ＵＥは、複数のｅＮＢの有効通信範囲内に存在しうる。これらのｅＮＢのうちの１つが、ＵＥにサービス提供するために選択されうる。サービス提供するｅＮＢは、例えば受信電力、経路喪失、信号対雑音比（ＳＮＲ）等のようなさまざまな基準に基づいて選択されうる。
【００３６】
ＵＥは、１または複数の干渉元のｅＮＢからの高い干渉を観察しうる支配的な干渉シナリオで動作しうる。支配的な干渉シナリオは、制限された関連付けによって生じうる。例えば、図１では、ＵＥ１２０ｙがフェムトｅＮＢ１１０ｙに近く、ｅＮＢ１１０ｙのための高い受信電力を有しうる。しかしながら、制約された関連性によって、ＵＥ１２０ｙは、フェムトｅＮＢ１１０ｙにアクセスすることができず、低い受信電力を持つ（図１に示すような）マクロｅＮＢ１１０ｃ、または、同様に低い受信電力を持つ（図１に示されていない）フェムトｅＮＢ１１０ｚに接続しうる。ＵＥ１２０ｙは、その後、ダウンリンクにおいて、フェムトｅＮＢ１１０ｙからの高い干渉を観察し、さらに、アップリンクにおいて、ｅＮＢ１１０ｙへの高い干渉をも引き起こしうる。
【００３７】
支配的な干渉シナリオはまた、ＵＥによって検出されたすべてのｅＮＢのうち、低い経路喪失および低いＳＮＲを持つｅＮＢにＵＥが接続するシナリオである範囲拡張によっても生じうる。例えば、図１では、ＵＥ１２０ｘは、マクロｅＮＢ１１０ｂおよびピコｅＮＢ１１０ｘを検出し、ｅＮＢ１１０ｘについて、ｅＮＢ１１０ｂよりも低い受信電力を有しうる。しかしながら、ｅＮＢ１１０ｘの経路喪失が、マクロｅＮＢ１１０ｂの経路喪失よりも低いのであれば、ＵＥ１２０ｘが、ピコｅＮＢ１１０ｘに接続することが望まれうる。これによって、ＵＥ１２０ｘのための所与のデータ・レートに関し、無線ネットワークに対する干渉が低くなりうる。
【００３８】
態様では、異なる周波数帯域で動作する異なるｅＮＢを有することによって、支配的な干渉シナリオにおける通信がサポートされうる。周波数帯域は、通信のために使用されうる周波数の範囲であり、（ｉ）中心の周波数および帯域幅によって、または（ｉｉ）低い周波数および高い周波数によって与えられうる。周波数帯域はまた、帯域、周波数チャネル等とも称されうる。異なるｅＮＢのための周波数帯域は、強いｅＮＢがＵＥと通信することを可能にしながら、ＵＥが、支配的な干渉シナリオにあるより弱いｅＮＢと通信できるように選択されうる。ｅＮＢは、ＵＥにおいて受信されたｅＮＢからの信号の受信電力に基づいて（かつ、ｅＮＢの送信電力レベルに基づくことなく）「弱い」ｅＮＢまたは「強い」ｅＮＢとして分類されうる。
【００３９】
図３は、図１における基地局／ｅＮＢのうちの１つ、およびＵＥのうちの１つでありうる、基地局（またはｅＮＢ１１０）とＵＥ１２０との設計のブロック図である。制約された関連性のシナリオの場合、ｅＮＢ１１０は、図１におけるマクロｅＮＢ１１０ｃでありうる。そして、ＵＥ１２０は、ＵＥ１２０ｙでありうる。ｅＮＢ１１０はさらに、その他いくつかのタイプの基地局でもありうる。ｅＮＢ１１０は、Ｔ個のアンテナ３３４ａ乃至３３４ｔを備え、ＵＥ１２０は、Ｒ個のアンテナ３５２ａ乃至３５２ｒを備えうる。ここで、一般に、Ｔ≧１およびＲ≧１である。
【００４０】
ｅＮＢ１１０では、送信プロセッサ３２０が、データ・ソース３１２からデータを、コントローラ／プロセッサ３４０から制御情報を受信しうる。制御情報は、ＰＢＣＨ、ＰＣＦＩＣＨ、ＰＨＩＣＨ、ＰＤＣＣＨ等用でありうる。データは、ＰＤＳＣＨ等用でありうる。送信プロセッサ３２０は、データ・シンボルおよび制御シンボルをそれぞれ取得するために、データおよび制御情報を処理（例えば、符号化およびシンボル・マップ）しうる。送信プロセッサ３２０はさらに、例えばＰＳＳやＳＳＳのための基準シンボルや、セル特有の基準信号を生成しうる。送信（ＴＸ）複数入力複数出力（ＭＩＭＯ）プロセッサ３３０は、適用可能であれば、データ・シンボル、制御シンボル、および／または、基準シンボルに空間処理（例えば、プリコーディング）を実行し、Ｔ個の出力シンボル・ストリームをＴ個の変調器（ＭＯＤ）３３２ａ乃至３３２ｔに提供しうる。おのおのの変調器３３２は、（例えば、ＯＦＤＭ等のために）それぞれの出力シンボル・ストリームを処理して、出力サンプル・ストリームを得る。おのおのの変調器３３２はさらに、出力サンプル・ストリームを処理（例えば、アナログ変換、増幅、フィルタ、およびアップコンバート）し、ダウンリンク信号を取得する。変調器３３２ａ乃至３３２ｔからのＴ個のダウンリンク信号は、Ｔ個のアンテナ３３４ａ乃至３３４ｔによってそれぞれ送信されうる。
【００４１】
ＵＥ１２０では、アンテナ３５２ａ乃至３５２ｒが、ｅＮＢ１１０からダウンリンク信号を受信し、受信した信号を、復調器（ＤＥＭＯＤ）３５４ａ乃至３５４ｒへそれぞれ提供しうる。おのおのの復調器３５４は、受信したそれぞれの信号を調整（例えば、フィルタ、増幅、ダウンコンバート、およびデジタル化）して、入力サンプルを取得しうる。おのおのの復調器３５４はさらに、（例えば、ＯＦＤＭ等のため）これら入力サンプルを処理して、受信されたシンボルを取得しうる。ＭＩＭＯ検出器３５６は、Ｒ個すべての復調器３５４ａ乃至３５４ｒから受信したシンボルを取得し、適用可能である場合、これら受信されたシンボルに対してＭＩＭＯ検出を実行し、検出されたシンボルを提供しうる。受信プロセッサ３５８は、検出されたシンボルを処理（例えば、復調、デインタリーブ、および復号）し、ＵＥ１２０のために復号されたデータをデータ・シンク３６０に提供し、復号された制御情報をコントローラ／プロセッサ３８０へ提供しうる。
【００４２】
アップリンクでは、ＵＥ１２０において、送信プロセッサ３６４が、データ・ソース３６２から（例えばＰＵＳＣＨのための）データを、コントローラ／プロセッサ３８０から（例えばＰＵＣＣＨのための）制御情報を受信し、これらを処理しうる。送信プロセッサ３６４はさらに、基準信号のための基準シンボルを生成しうる。送信プロセッサ３６４からのシンボルは、適用可能であれば、ＴＸ  ＭＩＭＯプロセッサ３６６によってプリコードされ、さらに、（例えば、ＳＣ−ＦＤＭ等のために）変調器３５４ａ乃至３５４ｒによって処理され、ｅＮＢ１１０へ送信される。ｅＮＢ１１０では、ＵＥ１２０からのアップリンク信号が、アンテナ３３４によって受信され、復調器３３２によって処理され、適用可能な場合にはＭＩＭＯ検出器３３６によって検出され、さらに、受信プロセッサ３３８によって処理されて、ＵＥ１２０によって送信された復号されたデータおよび制御情報が取得されうる。受信プロセッサ３３８は、復号されたデータをデータ・シンク３３９に提供し、復号された制御情報をコントローラ／プロセッサ３４０へ提供しうる。
【００４３】
コントローラ／プロセッサ３４０，３８０は、ｅＮＢ１１０およびＵＥ１２０それぞれにおける動作を指示しうる。ｅＮＢ１１０におけるコントローラ／プロセッサ３４０、受信プロセッサ３３８、および／または、その他のプロセッサおよびモジュールは、本明細書に記載された技術のための動作および／または処理の実行または指示を行いうる。メモリ３４２，３８２は、ｅＮＢ１１０およびＵＥ１２０それぞれのためのデータおよびプログラム・コードを格納しうる。スケジューラ３４４は、ダウンリンクおよび／またはアップリンクでのデータ送信のためにＵＥをスケジュールしうる。
【００４４】
（リソース分配の例）  
本開示のある態様によれば、ネットワークが、エンハンスト・セル間干渉調整（ｅＩＣＩＣ）をサポートしている場合、基地局は、リソースの一部を放棄した干渉元のセルによる干渉を低減または除去するために、互いにネゴシエートして、リソースを調整しうる。この干渉調整にしたがって、ＵＥは、厳しい干渉がある場合であっても、干渉元のセルによって放棄されたリソースを用いることによって、サービス提供セルにアクセスすることができうる。
【００４５】
例えば、オープン・マクロ・セルの有効通信範囲エリア内のクローズド・アクセス・モーのフェムト・セルド（すなわち、ここでは、メンバ・フェムトＵＥのみがこのセルにアクセスする）は、リソースを放棄し、干渉を効果的に除去することによって、マクロ・セルのために（フェムト・セルの有効通信範囲エリア内に）「有効通信範囲ホール」を生成することができうる。リソースを放棄するためにフェムト・セルについてネゴシエートすることによって、フェムト・セル有効通信範囲エリア下のマクロＵＥはいまだに、これら放棄されたリソースを用いて、ＵＥのサービス提供マクロ・セルにアクセスすることができる。
【００４６】
例えば、イボルブド・ユニバーサル地上ラジオ・アクセス・ネットワーク（Ｅ−ＵＴＲＡＮ）のように、ＯＦＤＭを用いるラジオ・アクセス・システムでは、放棄されたリソースは、時間ベースであるか、周波数ベースであるか、これら両方の組み合わせでありうる。調整されたリソース分割が時間ベースである場合、干渉元のセルは、単に、時間領域におけるサブフレームのうちのいくつかを使用しない。調整されたリソース分割が周波数ベースである場合、干渉元のセルは、周波数領域におけるサブキャリアを放棄しうる。周波数と時間との両方の組み合わせによって、干渉元のセルは、周波数リソースと時間リソースとを放棄しうる。
【００４７】
図４は、ｅＩＣＩＣによって、ｅＩＣＩＣをサポートしているマクロＵＥ１２０ｙ（例えば、図４に図示されているようなＲｅｌ−１０マクロＵＥ）が、実線のラジオ・リンク４０２によって例示されているように、フェムト・セルｙからの厳しい干渉を経験している場合であっても、マクロ・セル１１０ｃにアクセスできるようになるシナリオの例を例示する。レガシー・マクロＵＥ１２０ｕ（例えば、図４に図示されているようなＲｅｌ−８マクロＵＥ）は、分断されたラジオ・リンク４０４によって例示されているように、フェムト・セル１１０ｙからの厳しい干渉下のマクロ・セル１１０ｃにアクセスできない場合がありうる。フェムトＵＥ１２０ｖ（例えば、図４に図示されているようなＲｅｌ−８フェムトＵＥ）は、マクロ・セル１１０ｃからの干渉問題なく、フェムト・セル１１０ｙにアクセスしうる。
【００４８】
ある態様によれば、ネットワークは、情報を分散する異なるセットが存在しうるｅＩＣＩＣをサポートしうる。これらのセットのうちの第１のセットは、準静的リソース分割情報（ＳＲＰＩ）と称されうる。これらのセットのうちの第２のセットは、適応リソース分割情報（ＡＲＰＩ）と称されうる。名前が意味するように、ＳＲＰＩは一般に、頻繁には変わらず、ＳＲＰＩは、ＵＥがＵＥ自身の動作のためのリソース分割情報を使用できるようにＵＥへ送信されうる。
【００４９】
例として、リソース分割は、８ミリ秒周期（８サブフレーム）または４０ミリ秒周期（４０サブフレーム）で実施されうる。ある態様によれば、周波数リソースも分割されうるように、周波数分割デュプレクス（ＦＤＤ）も適用されうると仮定されうる。ダウンリンクを介した（例えば、セル・ノードＢからＵＥへの）通信のために、既知のサブフレーム（例えば、４のような整数Ｎの倍数であるシステム・フレーム番号（ＳＦＮ）を有する各ラジオ・フレームのうちの第１のサブフレーム）へ分割パターンがマップされうる。このようなマッピングは、特定のサブフレームのためのリソース分割情報（ＲＰＩ）を決定するために適用されうる。例として、ダウンリンクのために調整されたリソース分割（例えば、干渉元のセルによって放棄された）にしたがうサブフレームは、インデクスによって識別されうる。  
ＩｎｄｅｘＳＲＰＩ＿ＤＬ（ＳＦＮ＊１０＋サブフレーム番号）ｍｏｄ８
アップリンクの場合、ＳＲＰＩマッピングは、例えば４ミリ秒シフトされうる。したがって、アップリンクの場合、  
ＩｎｄｅｘＳＲＰＩ＿ＵＬ（ＳＦＮ＊１０＋サブフレーム番号＋４）ｍｏｄ８
ＳＲＰＩは、各入力のために、次の３つの値を使用しうる。  
・Ｕ（使用）：この値は、このセルによって使用されるべき支配的な干渉からサブフレームがクリーン・アップされた（すなわち、主要な干渉元のセルは、このサブフレームを使用しない）ことを示す。  
・Ｎ（無使用）：この値は、サブフレームが使用されてはならないことを示す。  
・Ｘ（未知）：この値は、サブフレームが静的に分割されていないことを示す。基地局間のリソース使用ネゴシエーションの詳細は、ＵＥに知られていない。
【００５０】
ＳＲＰＩのためのパラメータの別の可能なセットは以下の通りでありうる。
【００５１】
・Ｕ（使用）：この値は、サブフレームが、このセルによって使用されるべき支配的な干渉からクリーン・アップされた（すなわち、主要な干渉元のセルが、このサブフレームを使用しない）ことを示す。  
・Ｎ（無使用）：この値は、サブフレームが使用されてはならないことを示す。  
・Ｘ（未知）：この値は、サブフレームが静的に分割されていない（、そして、基地局間のリソース使用ネゴシエーションの詳細がＵＥに知られていない）ことを示す。  
・Ｃ（共通）：この値は、すべてのセルが、リソース分割無く、このサブフレームを使用しうることを示しうる。このサブフレームは、干渉を被りうる。その結果、基地局は、厳しい干渉を受けていないＵＥのためにのみこのサブフレームを使用することを選択しうる。
【００５２】
サービス提供セルのＳＲＰＩは、オーバ・ザ・エアでブロードキャストされうる。Ｅ−ＵＴＲＡＮでは、サービス提供セルのＳＲＰＩは、マスタ情報ブロック（ＭＩＢ）で、あるいは、複数のシステム情報ブロック（ＳＩＢ）のうちの１つで送信されうる。予め定義されたＳＲＰＩは、例えばマクロ・セル、（オープン・アクセスの）ピコ・セル、および（クローズド・アクセスの）フェムト・セルのようなセルの特性に基づいて定義されうる。このような場合、システム・オーバヘッド・メッセージにおけるＳＲＰＩの符号化によって、オーバ・ザ・エアによるブロードキャストがより効率的になりうる。
【００５３】
基地局はまた、ＳＩＢのうちの１つで、近隣セルのＳＲＰＩをブロードキャストしうる。このため、ＳＲＰＩは、物理セル識別子（ＰＣＩ）の対応する範囲で送信されうる。
【００５４】
ＡＲＰＩはさらに、ＳＲＰＩにおける‘Ｘ’サブフレームのための詳細な情報でリソース分割情報を表しうる。前述したように、‘Ｘ’サブフレームの詳細な情報は、一般に、基地局にしか知られておらず、ＵＥは知らない。
【００５５】
図５および図６は、マクロ・セルおよびフェムト・セルを有するシナリオにおけるＳＲＰＩ割当の例を例示する。Ａサブフレーム、Ｕサブフレーム、Ｎサブフレーム、Ｘサブフレーム、またはＣサブフレームは、Ｕ  ＳＲＰＩ割当、Ｎ  ＳＲＰＩ割当、Ｘ  ＳＲＰＩ割当、またはＣ  ＳＲＰＩ割当に対応するサブフレームである。
【００５６】
図７は、ヘテロジニアスなネットワークにおける範囲拡張セルラ領域を例示する図解７００である。例えばＲＲＨ７１０ｂのような低電力クラスｅＮＢは、ＲＲＨ７１０ｂとマクロｅＮＢ７１０ａとの間のエンハンスト・セル間干渉調整によって、および、ＵＥ７２０によって実行された干渉除去によって、セルラ領域７０２から拡張された範囲拡張セルラ領域７０３を有しうる。エンハンスト・セル間干渉調整では、ＲＲＨ７１０ｂが、ＵＥ７２０の干渉条件に関する情報を、マクロｅＮＢ７１０ａから受信する。この情報によって、ＲＲＨ７１０ｂは、範囲拡張セルラ領域７０３内のＵＥ７２０にサービス提供することと、ＵＥ７２０が範囲拡張セルラ領域７０３に入ると、マクロｅＮＢ７１０ａからのＵＥ７２０のハンドオフを受諾できるようになる。
【００５７】
図８は、本開示のある態様にしたがって、マクロ・ノードと多くの遠隔ラジオ・ヘッド（ＲＲＨ）とを含むネットワーク８００を例示する図解である。マクロ・ノード８０２は、光ファイバによってＲＲＨ８０４，８０６，８０８，８１０に接続される。ある態様では、ネットワーク８００は、ホモジニアスなネットワークまたはヘテロジニアスなネットワークであり、ＲＲＨ８０４−８１０は、低電力ＲＲＨまたは高電力ＲＲＨでありうる。態様では、マクロ・ノード８０２は、それ自身およびＲＲＨのために、セル内のすべてのスケジューリングを取り扱う。ＲＲＨは、マクロ・ノード８０２と同じセル識別子（ＩＤ）で、または、異なるセルＩＤで設定されうる。ＲＲＨが同じセルＩＤで設定されている場合、マクロ・ノード８０２およびＲＲＨは、マクロ・ノード８０２によって制御されている実質的に１つのセルとして動作しうる。一方、ＲＲＨおよびマクロ・ノード８０２が、異なるセルＩＤで設定されている場合、すべての制御およびスケジューリングがマクロ・ノード８０２とともに残っていても、マクロ・ノード８０２およびＲＲＨは、ＵＥに対して別のセルとして見えうる。マクロ・ノード８０２およびＲＲＨ８０４，８０６，８０８，８１０のための処理は、必ずしもマクロ・ノードに存在する必要はないことがさらに認識されるべきである。これは、マクロ・ノードおよびＲＲＨに接続されているエンティティまたはその他いくつかのネットワーク・デバイスにおいて、集中方式でも実行されうる。
【００５８】
本明細書で用いられるように、送信／受信ポイント（“ＴｘＰ”）という用語は、一般に、少なくとも1つの中央エンティティ（例えば、ｅノードＢ）によって制御される地理的に分離された、同じまたは異なるセルＩＤを有しうる送信／受信ノードを称する。
【００５９】
ある態様では、ＲＲＨのおのおのがマクロ・ノード８０２と、同じセルＩＤを共有する場合、ＣＲＳを用いて、制御情報が、マクロ・ノード８０２から、または、マクロ・ノード８０２とＲＲＨのすべてとの両方から送信されうる。ＣＲＳは、一般に、同じリソース要素を用いて送信ポイントのおのおのから送信されるので、信号が衝突する。送信ポイントのおのおのは、同じセルＩＤを有している場合、送信ポイントのおのおのから送信されたＣＲＳは、区別されない場合がありうる。ある態様では、ＲＲＨが異なるセルＩＤを有する場合、同じセル・リソース要素を用いてＴｘＰのおのおのから送信されたＣＲＳは、衝突する場合も、しない場合もありうる。この場合でさえも、ＲＲＨが異なるセルＩＤを有しＣＲＳが衝突する場合、アドバンストＵＥは、干渉除去技術およびアドバンスト受信機処理を用いてＴｘＰのおのおのから送信されたＣＲＳを区別しうる。
【００６０】
ある態様では、すべての送信ポイントが同じセルＩＤを用いて構成され、すべての送信ポイントからＣＲＳが送信される場合、送信元のマクロ・ノードおよび／またはＲＲＨにおいて、等しくない数の物理アンテナが存在するのであれば、適切なアンテナ仮想化が必要とされる。すなわち、ＣＲＳは、等しい数のＣＲＳアンテナ・ポートで送信されることになっている。例えば、ノード８０２およびＲＲＨ８０４，８０６，８０８おのおのが４つの物理アンテナを有し、ＲＲＨ８１０が２つの物理アンテナを有している場合、ＲＲＨ８１０の第１のアンテナは、２つのＣＲＳポートを用いて送信されるように構成され、ＲＲＨ８１０の第２のアンテナは、別の２つのＣＲＳポートを用いて送信するように構成されうる。あるいは、同じ構成のために、マクロ８０２およびＲＲＨ８０４，８０６，８０８は、送信ポイント毎に、４つの送信アンテナのうちの選択された２つからの２つのＣＲＳアンテナ・ポートのみを送信しうる。これらの例に基づいて、アンテナ・ポートの数は、物理アンテナの数に関して増加または減少されうることが認識されるべきである。
【００６１】
前述したように、すべての送信ポイントが同じセルＩＤで設定されている場合、マクロ・ノード８０２およびＲＲＨ８０４−８１０のすべてがＣＲＳを送信しうる。しかしながら、マクロ・ノード８０２のみがＣＲＳを送信する場合、自動利得制御（ＡＧＣ）問題によって、ＲＲＨの近傍で障害が発生しうる。このようなシナリオでは、マクロ８０２からのＣＲＳベースの送信は、低受信電力で受信される一方、近傍のＲＲＨから生じるその他の送信は、はるかに大きな電力で受信されうる。この電力不均衡は、前述したＡＧＣ問題に至りうる。
【００６２】
要約すると、一般に、同じ／異なるセルＩＤセットアップ間の相違は、制御問題およびレガシー問題、および、ＣＲＳに依存するその他の潜在的な動作に関連する。セルＩＤは異なるが衝突するＣＲＳ構成を有するシナリオは、定義により、衝突するＣＲＳを有する同じセルＩＤ設定との類似性を有しうる。セルＩＤは異なるが衝突するＣＲＳを有するシナリオは、一般に、セルＩＤに依存するシステム特性／構成要素（例えば、スクランブリング・シーケンス等）がより容易に区別されうる同じセルＩＤのケースと比較して利点を有する。
【００６３】
同じセルＩＤまたは異なるセルＩＤを有するマクロ／ＲＲＨ設定に対して、典型的な構成が適用可能である。異なるセルＩＤの場合、ＣＲＳは、衝突するように構成されうる。これは、同一セルＩＤと類似のシナリオに至りうるが、セルＩＤに依存するシステム特性（例えば、スクランブリング・シーケンス等）がＵＥによってより簡単に区別されうるという利点を有する。
【００６４】
ある態様では、典型的なマクロ／ＲＲＨエンティティは、このマクロ／ＲＲＨ設定の送信ポイント内の制御送信／データ送信の分離を与えうる。セルＩＤが各送信ポイントで同じである場合、ＰＤＣＣＨは、マクロ・ノード８０２から、または、マクロ・ノード８０２とＲＲＨ８０４−８１０との両方から、ＣＲＳとともに送信されうる一方、ＰＤＳＣＨは、送信ポイントのサブセットから、チャネル状態情報基準信号（ＣＳＩ−ＲＳ）および復調基準信号（ＤＭ−ＲＳ）とともに送信されうる。セルＩＤが送信ポイントのうちのいくつかについて異なる場合、ＰＤＣＣＨは、各セルＩＤグループにおいて、ＣＲＳとともに送信されうる。各セルＩＤグループから送信されたＣＲＳは、衝突することも、しないこともありうる。ＵＥは、同じセルＩＤを持つ複数の送信ポイントから送信されたＣＲＳを区別できない場合がありうるが、（例えば、干渉除去技術または類似の技術を用いて）異なるセルＩＤを持つ複数の送信ポイントから送信されたＣＲＳを区別しうる。
【００６５】
ある態様では、すべての送信ポイントが同じセルＩＤを用いて設定されている場合、制御送信／データ送信を分離することによって、すべての送信ポイントからのＣＲＳ送信に基づいて制御を送信しながら、データ送信のための少なくとも１つの送信ポイントにＵＥを関連付けるＵＥ透過方法が可能となる。これは、制御チャネルを共通に保ちながら、異なる送信ポイントにまたがるデータ送信のためのセル分離を可能にする。前述した「関連付け」という用語は、データ送信のため、特有のＵＥのアンテナ・ポートを設定することを意味する。これは、ハンドオーバのコンテキストで実行されるであろう関連付けとは異なる。制御は、前述したように、ＣＲＳに基づいて送信されうる。制御とデータを分離することによって、ハンドオーバ処理を介してなされねばならないことに比べて、ＵＥのデータ送信のために使用されるアンテナ・ポートのより高速な再設定が可能となりうる。ある態様では、ＵＥのアンテナ・ポートを、異なる送信ポイントの物理アンテナに対応するように設定することによって、送信ポイント間のフィードバックが可能となりうる。
【００６６】
ある態様では、ＵＥ特有基準信号が、（例えば、ＬＴＥ−Ａ、Ｒｅｌ−１０、および前述したコンテキストおける）この動作を可能にする。ＣＳＩ−ＲＳおよびＤＭ−ＲＳは、ＬＴＥ−Ａコンテキストにおいて使用される基準信号である。干渉推定は、ＣＳＩ−ＲＳミュートに基づいて実行されうるか、ＣＳＩ−ＲＳミュートによって容易とされうる。同じセルＩＤ設定の場合、すべての送信ポイントに制御チャネルが共通であるのであれば、ＰＤＣＣＨ容量が制限されうるので、制御容量問題が存在しうる。制御容量は、ＦＤＭ制御チャネルを使用することにより拡大されうる。ＰＤＣＣＨ制御チャネルを補足、増加、または交換するために、例えばエンハンストＰＤＣＣＨ（ｅＰＤＣＣＨ）のような中継ＰＤＣＣＨ（Ｒ−ＰＤＣＣＨ）またはその拡張が使用されうる。
【００６７】
（ヘテロジニアスなネットワークにおける協調マルチポイント動作のための発見基準信号設計）  
本明細書で提供される技術によって、異なる送信ポイントが、ＵＥによる発見のために異なる基準信号を送信できるようになる。例えば、第１の電力クラスの送信ポイント（例えば、低電力ＲＲＨ）は、リソースの第１のセットで発見ＲＳを送信しうる一方、第２の電力クラスの送信ポイント（例えば、高電力マクロｅＮＢ）は、リソースの第２のセットで発見ＲＳを送信しうる。以下により詳細に説明されるように、これによって、ＵＥは、ターゲットとされる可能性の高い送信ポイント（例えば、最も近いＲＲＨ）のために適切な手法で設定された送信電力で、アクセス手順を実行できるようになる。
【００６８】
ＨｅｔＮｅｔ  ＣｏＭＰ設計の場合、前述したように、ＬＴＥ  Ｒｅｌ  １１のための１つのアクティブな提案は、マクロｅＮＢへのファイバ接続を用いて遠隔ラジオ・ヘッド（ＲＲＨ）を配置することである。ＲＲＨは、マクロ・セルと同じ物理セルＩＤ（ＰＣＩ）を有しうる。ＲＲＨおよびマクロ基地局が同じセルＩＤを有するシナリオでは、ＵＥは、ＲＡＣＨ手順の前にＲＲＨを識別することはできない。
【００６９】
マクロｅＮＢとＲＲＨとの間の送信電力の大きな差によって、ＲＲＨを識別できないことは、オープン・ループ電力制御を適用するランダム・アクセス・チャネル（ＲＡＣＨ）手順をＵＥが実行する場合、問題に至りうる。例えば、マクロ・セルとＲＲＨとの間が曖昧であることにより、ＵＥは、遠くのマクロ・セルに基づいて、高すぎる送信電力を設定した場合、近くのＲＲＨを容易に２０ｄＢ妨害しうる。一方、ＲＲＨに基づいて、送信電力をあまりに低く設定することは、ＲＡＣＨ手順における遅れをもたらしうる。
【００７０】
ある態様によれば、ＲＲＨ発見のため別個のパイロットまたは基準信号（ＲＳ）が使用され、ＵＥは、ＲＲＨとマクロ・セルとを区別できるようになる。この構成および電力設定は、マクロ・セルおよびＲＲＨを含む大きな論理セルからのシステム情報ブロック（ＳＩＢ）送信において指定されうる。
【００７１】
ＵＥがＲＲＨとマクロｅＮＢとを区別できるようにするこのＲＲＨ発見パイロットは、いくつかの機能のために役立ちうる。例えば、ＲＲＨ発見パイロットは、ＲＡＣＨ手順のためのオープン・ループ電力制御設定、ＲＲＨのためのＵＥの時間トラッキング、（異なる送信ポイントからのパイロットの相対的な受信強度に基づく）位置決め、および、ネットワーク側からのＲｅｌ  １１  ＵＥの早期の識別を支援しうる。
【００７２】
ＲＲＨ発見信号の多くの態様によって、ＵＥは、ＲＲＨから、比較的正確な経路喪失推定値を計算できるようになりうる。この経路喪失推定値は、ユーザ機器（ＵＥ）がシステムに最初にアクセスを試み、アップリンクで物理ランダム・アクセス・チャネル（ＰＲＡＣＨ）を送信する必要がある場合に使用されうる。
【００７３】
従来、初期送信電力は、共通基準信号（ＣＲＳ）からＤＬ経路喪失を測定することによるオープン・ループ電力制御に基づく。最も近いＲＲＨまたはマクロｅＮＢが（ＲＲＨを妨害することなく、あるいは、マクロｅＮＢによる復号における遅れをもたらすことなく、）ＰＲＡＣＨを正確に復号できるように、一般に、正しいレベルでＰＲＡＣＨのための送信電力を設定できることが望ましい。しかしながら、ＲＲＨおよびマクロ・セルが、同じＰＣＩ（物理セル識別子）、ＳＦＮ（システム・フレーム番号）、またはＣＲＳを有しているが、異なる送信電力を有している場合、あるいは、マクロ・セルがＣＲＳを送信し、ＲＲＨがＣＲＳをミュートする場合、正確なＰＬ測定は利用不可能である。
【００７４】
前述したように、ＲＲＨおよびマクロ基地局のために同じＰＣＩを有するシステムでは、ＲＡＣＨのためのオープン・ループ電力制御（ＯＬ  ＰＣ）において大きな誤りが存在しうる。ＰＲＡＣＨ送信のための高すぎる送信電力は、最も近いＲＲＨを妨害するだろう。そして、低すぎるＰＲＡＣＨ送信電力は、アクセス時間を遅らせるだろう。
【００７５】
しかしながら、本明細書に記載された発見ＲＲＨパイロット（またはＲＳ）は、ＵＥがＲＡＣＨ手順前に各ＲＲＨから経路喪失を推定することができる方法を提供する。経路喪失推定およびオープン・ループ電力制御に加えて、最も近いセルを識別できること（例えば、マクロ対ＲＲＨまたは早期ＲＲＨ発見）も望ましい。この情報は、ＵＥタイミング調節、位置決め、モビリティ・ハンドリング、および、より早期のリリースからのＵＥからのＲｅｌ  １１の早期識別のために役立ちうる。
【００７６】
（ＲＲＨ発見ＲＳに基づくアクセス手順の例）  
本明細書に記載された技術によって、Ｒｅｌ  １１  ＵＥのためのＲＲＨ発見の新たなアクセス手順および信号設計が可能となる。これら技術は、マクロがある信号（例えば、ＣＲＳ／ＰＳＳ／ＳＳＳ／ＰＢＣＨ）を送信する場合のようなケース（ケース１ａ）、あるいは、マクロとＲＲＨとの両方がＳＦＮ（同期周波数ネットワーク）でＣＲＳ／ＰＳＳ／ＳＳＳ／ＰＢＣＨを送信する場合のようなさまざまなシステム・シナリオで使用されうる。
【００７７】
本明細書で使用されるように、用語「ＲＲＨ発見ＲＳ」は一般に、ＲＲＨによって送信されたＲＳと、マクロｅＮＢによって送信されたＲＳとを区別することを可能にする手法で送信されたＲＳを称する。これによって、ＵＥは、ＲＲＨを「発見」できるようになる。
【００７８】
アクセス手順の第１のステップは、ＰＳＳ／ＳＳＳ、ＰＢＣＨ検出でありうる。異なる能力のＵＥ（例えば、Ｒｅｌ  ８−１１からのＵＥは、Ｒｅｌ  ８として初期獲得手順を実行する）。この初期獲得後、ＣＲＳアンテナ・ポートの数が知られうる。
【００７９】
第２のステップでは、ＵＥが、システム情報ブロック（例えば、ＳＩＢ１およびＳＩＢ２）を検出しうる。これらＳＩＢの復号後、ＵＥは、共通のシステム情報を知るようになる。従来のＵＥ（例えば、Ｒｅｌ  ８／９／１０  ＵＥ）は、従来のＲＡＣＨ手順にしたがってアクセスを実行しうる。
【００８０】
（前述した従来のＲｅｌ−８／９／１０  ＵＥのように）共通のシステム情報を取得することに加えて、ＵＥは、本開示にしたがって、以下の情報；すなわち、“ＲＲＨ発見ＲＳ”アンテナ・ポートの構成のみならず、ＲＲＨ発見ＲＳのための送信電力レベルを取得することができうる。
【００８１】
ある場合には、同じ電力クラス（例えば、ＲＲＨ）の送信ポイントのアンテナ・ポートが、発見ＲＳを送信するために、同じ別個のリソースへマップされうる。ｅＮＢ  ＲＳは、異なる別個のリソースにマップされうる。
【００８２】
例えば、図９および図１０に例示するように、ＲＲＨ発見ＲＳが、第１のリソースを用いて、第１のアンテナ・ポート（例ではポート１）で各ＲＲＨから送信されうる一方、発見ＲＳが、第２のリソース（この例ではポート０）でマクロｅＮＢから送信されうる。図１０は、ＣＲＳのために使用されるリソース１００２から分離した、アンテナ・ポート０およびアンテナ・ポート１それぞれから送信された発見ＲＳのために、別個のリソース１００４およびリソース１００６がどのように使用されるのかを例示する。
【００８３】
異なる送信ポイントからの別個のＲＳを受信した後、ＵＥは、各送信ポイントのための経路喪失を推定することができうる。例えば、図１１に例示されるように、ＵＥは、対応するＲＲＨ発見ＲＳポートの受信電力および通知電力に基づいて、各セル／電力クラスからの経路喪失を測定しうる。ＵＥは、さらに、各ＲＲＨ発見ＲＳポートのために使用される送信電力を示すインジケーションを（例えば、対応する送信電力を示す１または複数のフィールドを持つ１または複数のメッセージで）受信しうる。各ＲＲＨのための経路喪失推定の能力を考慮すると、ＵＥは、ＰＲＡＣＨのための送信電力をより正確に設定できうる。同時に、ＵＥはまた、これらＲＲＨ発見ＲＳからの受信信号に基づいて、周囲のＲＲＨ／マクロ・セルをも識別しうる。
【００８４】
図１１に図示されるＵＥによるＲＲＨ発見ベースのＰＬ推定の例では、通知された送信電力から、ポート０を介した受信電力を引くことによって計算された、マクロｅＮＢへのＰＬは、９０ｄＢである。各ＲＲＨの通知送信電力から、ポート１を介した受信電力を引くことによって計算されたＲＲＨ０、ＲＲＨ１、ＲＲＨ２、およびＲＲＨ３のためのＰＬはそれぞれ、９０ｄＢ、６４ｄＢ、１００ｄＢ、および９０ｄＢである。
【００８５】
この例では、ＵＥがＲＲＨ１に近いので、ｅＮＢ０からの大きなＤＬ経路喪失を有しうるが、近くのＲＲＨ１に対しては小さな経路喪失しか有さない。このシナリオでは、従来のＯＬ  ＰＣに基づくＵＬ送信が、ＲＲＨを妨害しうる。しかしながら、ＵＥは、ＲＲＨ発見ＲＳに基づいてなされたこれらＰＬ測定に基づいて、それがＲＲＨ１に最も近いと判定し、ＰＬに基づいて調節された送信電力でＲＲＨ１へのアクセスを実行しうる。
【００８６】
ＲＲＨ発見ＲＳに加えて、我々は、各ＲＲＨのためのＲＡＣＨコンフィギュレーションをブロードキャストしうる。このような場合、ＵＥは、最も近いＲＲＨにアクセスするために正しいＲＡＣＨコンフィギュレーションを使用し、ＳＦＮエリアにおけるセル分割利得を達成しうる。
【００８７】
ある態様によれば、ＲＲＨ発見ＲＳアンテナ・ポートは、各電力クラス・タイプの送信ポイントからの受信電力の推定のために使用されうる。例えば図９および図１０の例では、すべてのＲＲＨが、ＲＳを送信するために同じリソースにマップされる。しかしながら、ある場合には、各ノードまたは各ＲＲＨは、ＲＲＨ発見ＲＳを送信するために、自身の個別のリソースを有しうる。ある場合には、これらは、１つの論理セルにおけるすべての「非レガシー」（例えば、Ｒｅｌ  １１）ＵＥに共通でありうる。前述したように、１つの電力クラス／ノードは、ＲＲＨ発見ＲＳポートのうちの１つにマップされうる。
【００８８】
ある態様によれば、前述したように、異なるＣＳＩ−ＲＳポートを、異なるＲＲＨまたは異なる電力クラスに割り当てることによって、ＣＳＩ−ＲＳ設計が、ＲＲＨ発見ＲＳのために使用されうる。その結果、ＣＳＩ−ＲＳ処理はまた、実施複雑さを低減するために、ＲＲＨ発見のために再使用されうる。異なる電力クラス・セル間の周波数分割多重（ＦＤＭ）または時分割多重（ＴＤＭ）が利用されうる。しかしながら、大きな電力不均衡がある場合、異なる電力クラス間の符号分割多重ＣＤＭは、十分な直交性を与えない場合がありうる。
【００８９】
本開示のある態様は、ＲＲＨ発見ＲＳのために、ＣＳＩ−ＲＳよりも密な周波数トーン割当（および／または、密な時間割当）を有することによって、ＲＲＨ発見ＲＳのための異なる設計を提供しうる。前述したように、いくつかの場合、同じ電力クラス・ノードからのアンテナのみが、ＲＲＨ発見ＲＳのうちの１つにマップされうる。ＣＳＩ−ＲＳがＲＲＨ発見ＲＳとして構成されている場合、異なる電力クラスが、異なる周波数位置および時間位置にマップされうる。
【００９０】
前述したように、送信ポイント（例えば、サービス提供ｅＮＢ）は、異なる電力クラス・ノードへの正確な経路喪失推定を可能にするために、ＳＩＢにおける電力レベルのみならず、異なるＲＲＨ発見ＲＳをもシグナルしうる。これらの場合では、ＯＬ  ＰＣは、ＲＲＨ発見ＲＳから推定された経路喪失に基づきうる。
【００９１】
また、異なるＲＲＨ発見ＲＳにリンクされたＳＩＢにおけるＲＡＣＨコンフィギュレーションをシグナルすることも可能である。これは、ＲＡＣＨ手順から始まるセル分割利得を達成するために使用されうる。これはまた、ＲＡＣＨ手順から始めて、この手法で、ＲＲＨを発見することが可能なＵＥを識別するためにも使用されうる。
【００９２】
図１２は、本開示のある態様にしたがって、ＲＲＨ発見のためにＵＥによって実行されうる動作１２００の例を例示する。動作１２００は、例えば、図３に図示されるＵＥ１２０のプロセッサ３５８および／または３８０において実行されうる。
【００９３】
動作１２００は、１２０２において、ＵＥとの協調マルチポイント（ＣｏＭＰ）動作に含まれる複数の異なる送信ポイントから送信された別個の発見基準信号（ＲＳ）を受信することによって始まりうる。１２０４において、ＵＥは、異なる発見ＲＳに基づいて、送信ポイントのおのおのの基準信号受信電力（ＲＳＲＰ）推定値または経路喪失推定値のうちの少なくとも１つを計算しうる。１２０６において、ＵＥは、これら推定値に基づいて、少なくとも１つのサービス提供セルを識別しうる。例えば、識別することは、最も小さな経路喪失に基づきうる。
【００９４】
動作１２００は、図１２の対応する機能を実行することが可能な任意の適切な構成要素またはその他の手段によって実行されうる。例えば、図１２に例示される動作１２００は、図１２Ａに例示されている例えばＲＳ発見モジュール１２０４Ａおよびトランシーバ１２０２ＡのようなＵＥの構成要素１２００Ａによって実行されうる。
【００９５】
図１３は、本開示のある態様にしたがって、ＲＲＨ発見を可能にするために送信ポイント（例えば、ＲＲＨまたはｅＮＢ）において実行される動作１３００の例を例示する。動作１３００は、例えば、ｅＮＢ１１０のプロセッサ３３０および／または３４０において実行されうる。
【００９６】
動作１３００は、１３０２において、ユーザ機器（ＵＥ）による発見のための発見基準信号（ＲＳ）を送信するためのリソースを決定することによって始まる。決定されたリソースは、ＵＥとの協調マルチポイント（ＣｏＭＰ）動作に含まれる１または複数のその他の送信ポイントによって発見ＲＳを送信するために使用されるリソースとは異なる。１３０４では、送信ポイントが、決定されたリソースを用いて、発見ＲＳを送信しうる。
【００９７】
前述した動作１３００は、図１３の対応する機能を実行することが可能な任意の適切な構成要素またはその他の手段によって実行されうる。例えば、図１３に例示される動作１３００は、図１３Ａに例示されている例えばＲＳ発見モジュール１３０２Ａおよびトランシーバ１３０４Ａのような送信ポイントの構成要素１３００Ａによって実行されうる。
【００９８】
当業者であれば、情報および信号は、さまざまな異なる技術および技法のうちの何れかを用いて表されうることを理解するであろう。例えば、前述した記載を通じて参照されたデータ、命令群、指示、情報、信号、ビット、シンボル、およびチップは、電圧、電流、電磁波、磁場または磁気粒子、光場または光粒子、またはこれらの任意の組み合わせによって表されうる。
【００９９】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとのこの相互置換性を明確に例示するために、例示的なさまざまな構成要素、ブロック、モジュール、回路、およびステップが、これらの機能の観点から一般に上述された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【０１００】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサはマイクロプロセッサでありうるが、代替例では、このプロセッサは、従来の任意のプロセッサ、コントローラ、マイクロコントローラ、または順序回路でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【０１０１】
本明細書の開示に関連して説明された方法またはアルゴリズムのステップは、ハードウェアで直接的に、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハードディスク、リムーバブル・ディスク、ＣＤ−ＲＯＭ、あるいは当該技術で周知のその他任意の形態の記憶媒体に存在しうる。典型的な記憶媒体は、プロセッサがそこから情報を読み取り、および／または、そこに情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。一般に、図面に例示された動作が存在する場合、これら動作は、同じ符番を付された対応するミーンズ・プラス・ファンクション構成要素を有しうる。
【０１０２】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。前述した組み合わせもまた、コンピュータ読取可能な媒体の範囲内に含まれるべきである。
【０１０３】
本開示の上記記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
以下に、出願当初の特許請求の範囲に記載された発明を付記する。
［Ｃ１］
ユーザ機器（ＵＥ）による無線通信のための方法であって、
前記ＵＥとの協調マルチポイント（ＣｏＭＰ）動作に含まれる複数の異なる送信ポイントから送信された別個の発見基準信号（ＲＳ）を受信することと、
前記別個の発見ＲＳに基づいて、前記送信ポイントのおのおのの基準信号受信電力（ＲＳＲＰ）推定値または経路喪失推定値のうちの少なくとも１つを計算することと、
これら推定値に基づいて少なくとも１つのサービス提供セルを識別することと、
を備える方法。
［Ｃ２］
これら推定値に基づいて設定された送信電力レベルで、前記識別されたサービス提供セルにおいてランダム・アクセス・チャネル（ＲＡＣＨ）手順を実行すること、をさらに備えるＣ１に記載の方法。
［Ｃ３］
発見ＲＳを送信するために各送信ポイントによって使用される別個のリソースを示すコンフィギュレーションを受信すること、をさらに備えるＣ２に記載の方法。
［Ｃ４］
前記コンフィギュレーションは、ブロードキャスト・メッセージによって受信される、Ｃ３に記載の方法。
［Ｃ５］
前記ＲＡＣＨ手順は、前記ブロードキャスト・メッセージによって受信されたコンフィギュレーションにリンクされたＲＡＣＨコンフィギュレーションで実行される、Ｃ４に記載の方法。
［Ｃ６］
各発見ＲＳに対応する送信電力を示すインジケーションを受信すること、をさらに備えるＣ１に記載の方法。
［Ｃ７］
前記計算することは、前記対応する送信電力と各発見ＲＳの受信電力とに基づいて、経路喪失推定値を計算することを備える、Ｃ６に記載の方法。
［Ｃ８］
推定された最小の経路喪失を持つ発見ＲＳを判定することと、
前記推定された最小の経路喪失に基づいて、前記識別されたサービス提供セルにおける送信のための送信電力レベルを設定することと、
をさらに備えるＣ７に記載の方法。
［Ｃ９］
前記別個の発見ＲＳに基づいて、１または複数の送信ポイントを識別すること、をさらに備えるＣ１に記載の方法。
［Ｃ１０］
前記複数の送信ポイントは、異なる電力クラスの送信ポイントを備える、Ｃ１に記載の方法。
［Ｃ１１］
同じ電力クラスの送信ポイントのアンテナ・ポートが、共通のリソースにマップされる、Ｃ１０に記載の方法。
［Ｃ１２］
前記各送信ポイントの別個の発見ＲＳは、チャネル状態情報基準信号（ＣＳＩ−ＲＳ）のためにも使用されるリソースで送信される、Ｃ１０に記載の方法。
［Ｃ１３］
異なる電力クラスの送信ポイントから、別個の発見ＲＳを送信するために使用されるＣＳＩ−ＲＳリソースが、周波数位置および時間位置にマップされる、Ｃ１２に記載の方法。
［Ｃ１４］
発見ＲＳのために使用されるリソースは、ＣＳＩ−ＲＳのために使用されるリソースよりも密な周波数トーン割当または密な時間割当のうちの少なくとも１つを有する、Ｃ１３に記載の方法。
［Ｃ１５］
各送信ポイントのＲＡＣＨコンフィギュレーションを受信することと、
前記ＲＡＣＨ手順が実行される送信ポイントに対応するＲＡＣＨコンフィギュレーションを用いることと、
をさらに備えるＣ１に記載の方法。
［Ｃ１６］
送信ポイントによる無線通信のための方法であって、
ユーザ機器（ＵＥ）による発見のために、発見基準信号（ＲＳ）を送信するためのリソースを決定することと、ここで、前記決定されたリソースは、前記ＵＥとの協調マルチポイント（ＣｏＭＰ）動作に含まれる１または複数のその他の送信ポイントによって発見ＲＳを送信するために使用されるリソースとは異なる、
前記決定されたリソースを用いて、前記発見ＲＳを送信することと、
を備える方法。
［Ｃ１７］
各送信ポイントによって使用される別個のリソースを示すコンフィギュレーションを送信すること、をさらに備えるＣ１６に記載の方法。
［Ｃ１８］
前記コンフィギュレーションは、ブロードキャスト・メッセージで送信される、Ｃ１７に記載の方法。
［Ｃ１９］
前記送信された発見ＲＳに対応する送信電力を示すインジケーションを送信し、前記ＵＥが、前記発見ＲＳに基づいて、経路喪失を推定できるようにすること、をさらに備えるＣ１６に記載の方法。
［Ｃ２０］
前記ＣｏＭＰ動作に含まれる送信ポイントは、異なる電力クラスの送信ポイントを備える、Ｃ１６に記載の方法。
［Ｃ２１］
同じ電力クラスの送信ポイントのアンテナ・ポートが、共通のリソースにマップされる、Ｃ２０に記載の方法。
［Ｃ２２］
前記各送信ポイントの別個の発見ＲＳは、チャネル状態情報基準信号（ＣＳＩ−ＲＳ）のためにも使用されるリソースで送信される、Ｃ２０に記載の方法。
［Ｃ２３］
異なる電力クラスの送信ポイントから、別個の発見ＲＳを送信するために使用されるＣＳＩ−ＲＳリソースが、周波数位置および時間位置にマップされる、Ｃ２２に記載の方法。
［Ｃ２４］
発見ＲＳのために使用されるリソースは、ＣＳＩ−ＲＳのために使用されるリソースよりも密な周波数トーン割当または密な時間割当のうちの少なくとも１つを有する、Ｃ２３に記載の方法。
［Ｃ２５］
前記送信された発見ＲＳに基づいて決定された送信電力レベルで、前記ＵＥから送信されたＲＡＣＨメッセージを受信すること、をさらに備えるＣ１６に記載の方法。
［Ｃ２６］
ユーザ機器（ＵＥ）による無線通信のための装置であって、
前記ＵＥとの協調マルチポイント（ＣｏＭＰ）動作に含まれる複数の異なる送信ポイントから送信された別個の発見基準信号（ＲＳ）を受信する手段と、
前記別個の発見ＲＳに基づいて、前記送信ポイントのおのおのの基準信号受信電力（ＲＳＲＰ）推定値または経路喪失推定値のうちの少なくとも１つを計算する手段と、
これら推定値に基づいて少なくとも１つのサービス提供セルを識別する手段と、
を備える装置。
［Ｃ２７］
これら推定値に基づいて設定された送信電力レベルで、前記識別されたサービス提供セルにおいてランダム・アクセス・チャネル（ＲＡＣＨ）手順を実行する手段、をさらに備えるＣ２６に記載の装置。
［Ｃ２８］
発見ＲＳを送信するために各送信ポイントによって使用される別個のリソースを示すコンフィギュレーションを受信する手段、をさらに備えるＣ２７に記載の装置。
［Ｃ２９］
前記コンフィギュレーションは、ブロードキャスト・メッセージによって受信される、Ｃ２８に記載の装置。
［Ｃ３０］
前記ＲＡＣＨ手順は、前記ブロードキャスト・メッセージによって受信されたコンフィギュレーションにリンクされたＲＡＣＨコンフィギュレーションで実行される、Ｃ２９に記載の装置。
［Ｃ３１］
各発見ＲＳに対応する送信電力を示すインジケーションを受信する手段、をさらに備えるＣ２６に記載の装置。
［Ｃ３２］
前記計算する手段は、前記対応する送信電力と各発見ＲＳの受信電力とに基づいて、経路喪失推定値を計算する手段を備える、Ｃ３１に記載の装置。
［Ｃ３３］
推定された最小の経路喪失を持つ発見ＲＳを判定する手段と、
前記推定された最小の経路喪失に基づいて、前記識別されたサービス提供セルにおける送信のための送信電力レベルを設定する手段と、
をさらに備えるＣ３２に記載の装置。
［Ｃ３４］
前記別個の発見ＲＳに基づいて、１または複数の送信ポイントを識別する手段、をさらに備えるＣ２６に記載の装置。
［Ｃ３５］
前記複数の送信ポイントは、異なる電力クラスの送信ポイントを備える、Ｃ２６に記載の装置。
［Ｃ３６］
同じ電力クラスの送信ポイントのアンテナ・ポートが、共通のリソースにマップされる、Ｃ３５に記載の装置。
［Ｃ３７］
前記各送信ポイントの別個の発見ＲＳは、チャネル状態情報基準信号（ＣＳＩ−ＲＳ）のためにも使用されるリソースで送信される、Ｃ３５に記載の装置。
［Ｃ３８］
異なる電力クラスの送信ポイントから、別個の発見ＲＳを送信するために使用されるＣＳＩ−ＲＳリソースが、周波数位置および時間位置にマップされる、Ｃ３７に記載の装置。
［Ｃ３９］
発見ＲＳのために使用されるリソースは、ＣＳＩ−ＲＳのために使用されるリソースよりも密な周波数トーン割当または密な時間割当のうちの少なくとも１つを有する、Ｃ３８に記載の装置。
［Ｃ４０］
各送信ポイントのＲＡＣＨコンフィギュレーションを受信する手段と、
前記ＲＡＣＨ手順が実行される送信ポイントに対応するＲＡＣＨコンフィギュレーションを用いる手段と、
をさらに備えるＣ２６に記載の装置。
［Ｃ４１］
送信ポイントによる無線通信のための装置であって、
ユーザ機器（ＵＥ）による発見のための発見基準信号（ＲＳ）を送信するためのリソースを決定する手段と、ここで、前記決定されたリソースは、前記ＵＥとの協調マルチポイント（ＣｏＭＰ）動作に含まれる１または複数のその他の送信ポイントによって発見ＲＳを送信するために使用されるリソースとは異なる、
前記決定されたリソースを用いて、前記発見ＲＳを送信する手段と、
を備える装置。
［Ｃ４２］
各送信ポイントによって使用される別個のリソースを示すコンフィギュレーションを送信する手段、をさらに備えるＣ４１に記載の装置。
［Ｃ４３］
前記コンフィギュレーションは、ブロードキャスト・メッセージで送信される、Ｃ４２に記載の装置。
［Ｃ４４］
前記送信された発見ＲＳに対応する送信電力を示すインジケーションを送信し、前記ＵＥが、前記発見ＲＳに基づいて、経路喪失を推定できるようにする手段、をさらに備えるＣ４１に記載の装置。
［Ｃ４５］
前記ＣｏＭＰ動作に含まれる送信ポイントは、異なる電力クラスの送信ポイントを備える、Ｃ４１に記載の装置。
［Ｃ４６］
同じ電力クラスの送信ポイントのアンテナ・ポートが、共通のリソースにマップされる、Ｃ４５に記載の装置。
［Ｃ４７］
前記各送信ポイントの別個の発見ＲＳは、チャネル状態情報基準信号（ＣＳＩ−ＲＳ）のためにも使用されるリソースで送信される、Ｃ４５に記載の装置。
［Ｃ４８］
異なる電力クラスの送信ポイントから、別個の発見ＲＳを送信するために使用されるＣＳＩ−ＲＳリソースが、周波数位置および時間位置にマップされる、Ｃ４７に記載の装置。
［Ｃ４９］
発見ＲＳのために使用されるリソースは、ＣＳＩ−ＲＳのために使用されるリソースよりも密な周波数トーン割当または密な時間割当のうちの少なくとも１つを有する、Ｃ４８に記載の装置。
［Ｃ５０］
前記送信された発見ＲＳに基づいて決定された送信電力レベルで、前記ＵＥから送信されたＲＡＣＨメッセージを受信する手段、をさらに備えるＣ４１に記載の装置。
［Ｃ５１］
ユーザ機器（ＵＥ）による無線通信のための装置であって、
前記ＵＥとの協調マルチポイント（ＣｏＭＰ）動作に含まれる複数の異なる送信ポイントから送信された別個の発見基準信号（ＲＳ）を受信し、
前記別個の発見ＲＳに基づいて、前記送信ポイントのおのおのの基準信号受信電力（ＲＳＲＰ）推定値または経路喪失推定値のうちの少なくとも１つを計算し、
これら推定値に基づいて、少なくとも１つのサービス提供セルを識別する
ように構成された少なくとも１つのプロセッサと、
前記少なくとも１つのプロセッサに接続されたメモリと、
を備える装置。
［Ｃ５２］
送信ポイントによる無線通信のための装置であって、
ユーザ機器（ＵＥ）による発見のために発見基準信号（ＲＳ）を送信するためのリソースを決定し、ここで、前記決定されたリソースは、前記ＵＥとの協調マルチポイント（ＣｏＭＰ）動作に含まれる１または複数のその他の送信ポイントによって発見ＲＳを送信するために使用されるリソースとは異なる、
前記決定されたリソースを用いて、前記発見ＲＳを送信する
ように構成された少なくとも１つのプロセッサと、
前記少なくとも１つのプロセッサに接続されたメモリと、
を備える装置。
［Ｃ５３］
格納された命令群を有するコンピュータ読取可能な媒体を備えるプログラム製品であって、
前記命令群は、
ユーザ機器（ＵＥ）との協調マルチポイント（ＣｏＭＰ）動作に含まれる複数の異なる送信ポイントから送信された別個の発見基準信号（ＲＳ）を、前記ＵＥによって受信することと、
前記別個の発見ＲＳに基づいて、前記送信ポイントのおのおのの基準信号受信電力（ＲＳＲＰ）推定値または経路喪失推定値のうちの少なくとも１つを計算することと、
これら推定値に基づいて少なくとも１つのサービス提供セルを識別することと、
のために１または複数のプロセッサによって実行可能である、プログラム製品。
［Ｃ５４］
格納された命令群を有するコンピュータ読取可能な媒体を備えるプログラム製品であって、
前記命令群は、
ユーザ機器（ＵＥ）による発見のために発見基準信号（ＲＳ）を送信するためのリソースを、送信ポイントにおいて決定することと、ここで、前記決定されたリソースは、前記ＵＥとの協調マルチポイント（ＣｏＭＰ）動作に含まれる１または複数のその他の送信ポイントによって発見ＲＳを送信するために使用されるリソースとは異なる、
前記決定されたリソースを用いて、前記発見ＲＳを送信することと、
のために１または複数のプロセッサによって実行可能である、プログラム製品。
【図１】
0005735140.tif 000002
【図２】
0005735140.tif 000003
【図２Ａ】
0005735140.tif 000004
【図３】
0005735140.tif 000005
【図４】
0005735140.tif 000006
【図５】
0005735140.tif 000007
【図６】
0005735140.tif 000008
【図７】
0005735140.tif 000009
【図８】
0005735140.tif 000010
【図９】
0005735140.tif 000011
【図１０】
0005735140.tif 000012
【図１１】
0005735140.tif 000013
【図１２】
0005735140.tif 000014
【図１２Ａ】
0005735140.tif 000015
【図１３】
0005735140.tif 000016
【図１３Ａ】
0005735140.tif 000017